(57)【要約】【課題】変則的な操作によって鍵違いが変ってしまうことを防止する。【解決手段】レバータンブラーを、略Ｃ字形で相互に重合するタンブラーＡ１ＡとタンブラーＢ１Ｂとを組合わせたものとする一方、支軸２をその両端に突設した偏芯軸３の軸線回りを回動できるように支承し、一端を支軸に遊嵌させたタンブラーＡ１ちには合鍵５の鍵溝６との係合部７を形成すると共に、これを合鍵と干渉する方向に付勢し、また、一端を支軸に回動自在に嵌合させたタンブラーＢの自由端部外側端縁に解錠切欠８を形成すると共に、タンブラーＡの合鍵側端縁との係合部と重合する部分を合鍵と干渉しないように成形したものにおいて、タンブラーＡの自由端部外側縁をタンブラーＢの自由端部外側縁と重合させ、この重合部分に、タンブラーＢの各係合凹部に対応するタンブラーＡの解錠切欠８とほぼ同じ形状の逃げ切欠１０を係合凹部１１と同数、かつ解錠切欠８の形成位置に角度的に整合させて形成する。【選択図】  図５
2004308110.tif 000002
【特許請求の範囲】
【請求項１】
レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定したものにおいて、タンブラーＡの自由端部外側縁をタンブラーＢの自由端部外側縁と重合させ、この重合部分に、タンブラーＢの各係合凹部に対応するタンブラーＡの解錠切欠とほぼ同じ形状の逃げ切欠を係合凹部と同数、かつ解錠切欠の形成位置に角度的に整合させて形成したことを特徴とする可変レバータンブラー錠のタンブラー。
【発明の詳細な説明】
【０００１】
【発明が属する技術分野】
この発明は、可変レバータンブラー錠のタンブラーの構造（以下単にタンブラーという）に係り、特に、本出願人が先に提案した新規な可変レバータンブラー錠の作動を確実にするタンブラーに関する。
【０００２】
【従来の技術】
【特許文献１】特願２００１−３７９２６８
【特許文献２】特願２００２−０１４２７４
【特許文献３】特願２００２−１１３８６８
【特許文献４】特願２００２−１１９７８１
【特許文献５】特願２００２−１３１５６８
本出願人は、先に、上記特許文献１〜５を以て、新規な可変レバータンブラー錠を提案した。
【０００３】
これらの可変レバータンブラー錠は、レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定し、他方、支軸を外方に付勢する一方、内筒の内端部に、内筒の半径方向に移動可能で、外部から操作可能なスイッチ部材を支軸の外側からこれに当接可能に設けたものである。
【０００４】
そして、この発明を理解するためには、上記可変レバータンブラー錠の構造、特にその支持機構を理解する必要があるが、その構造は上記各特許文献に記載されているので、ここでは簡単に説明する。
【０００５】
図１において符号１はレバータンブラーを示し、このレバータンブラー１を、略Ｃ字形で相互に重合するタンブラーＡ１ＡとタンブラーＢ１Ｂとを組合わせたものとする一方、図で上方に付勢された支軸２をその両端に突設した偏芯軸３（図２参照）の軸線回りを回動できるように支承する。
【０００６】
なお、図１においてタンブラーＢ１Ｂにハッチングを施したのはタンブラーＡ１Ａと紛れないようにしただけであって、実際にハッチングが施されているわけではない。図１においてはタンブラーＢ１Ｂが手前側に、タンブラーＡ１Ａはその裏側に配置されている。
【０００７】
また、図１に示すタンブラーＡ１ＡのＣ字形はその開口端が相互に接続されているが、これはタンブラーの剛性を高めるためであって、このようにＣ字形の開口端を接続したものもＣ字形の概念に含めるものとする。
【０００８】
一方、一端を縦長の逃げ孔４を介して支軸２に遊嵌させたタンブラーＡ１Ａには、合鍵５の鍵溝６との係合部７を形成すると共に、これを合鍵５と干渉する方向、図１では反時計方向に付勢し、また、一端を支軸に回動自在に嵌合させたタンブラーＢ１Ｂの自由端部外側端縁に解錠切欠８を形成すると共に、タンブラーＡ１Ａの合鍵側端縁との係合部７と重合する部分を合鍵と干渉しないように成形する。
【０００９】
他方、タンブラーＡ１Ａの自由端部内側縁部のタンブラーＢ１Ｂと対向する側に係合突起９を、また、タンブラーＢ１Ｂの内側縁部には支軸２を中心とする円弧上にタンブラーＡの係合突起９と係合可能な係合凹部１１の複数を夫々形成すると共に、係合凹部１１の形成角度位置を、合鍵５の側端縁に形成された複数種類の深さの鍵溝６にタンブラーＡの係合部が夫々係合したとき、その係合突起と整合するように設定する。
【００１０】
図１は一の合鍵を鍵孔に差込んだ状態を示し、したがって解錠切欠８がロッキングバー１２と角度的に整合している。
【００１１】
この状態で、図２及び図３に示すように、シリンダの内端側から変換ピン１３を挿入して、スイッチ部材１４及び支軸２の内端に嵌装されたスペーサリング１５を介して支軸２に矢印方向、すなわち下向きの力を印加すると、支軸２は偏芯軸３の中心軸ｃの回りを反時計方向に回動する。
【００１２】
なお、図１はタンブラー１をシリンダの内端側から見ているので、図１においては、支軸２は上記中心軸ｃの回りを時計方向に回動する。
【００１３】
その結果、支軸２はタンブラーＡ１Ａの一端に形成された前記縦長の逃げ孔４を遊嵌するので、タンブラーＡを図１の位置に残した状態でタンブラーＢ１１Ｂのみを下降させる（図示せず）。
【００１４】
図１から明らかなように、解錠切欠８とロッキングバー１２とは角度的に整合しているから、上記タンブラーＢ１Ｂの下降は可能であり、タンブラーＡ１Ａの係合突起９は係合凹部１１から抜き外される。
【００１５】
なお、タンブラーＡ１Ａの自由端外側縁部は、解錠切欠８の角度位置如何に拘らずロッキングバー１２と干渉しないようにするため、支軸２の中心軸を見込む一定の角度にわたって、解錠切欠８より深い逃げ切欠１０が形成されている。
【００１６】
この状態では一の合鍵を抜くことができるので、一の合鍵を鍵孔から抜くと、タンブラーＡ１Ａはその付勢力により図１で反時計方向に回動するが（図示せず）、他の新たな合鍵を挿入することにより、タンブラーＡ１Ａは図１とは異なる新たな角度位置に迄回動する。
【００１７】
この状態で前記変換ピン１３（図３参照）を抜いて支軸２を元の位置に戻すと、タンブラーＢ１Ｂも連れ動いて図１に示す位置に戻り、このとき係合突起は新たな係合凹部と係合するに致り、タンブラーＡ１ＡとタンブラーＢ１Ｂとの係合の態様が前とは異なり、したがって鍵違いを変更することができるのである。
【００１８】
【発明が解決しようとする課題】
ところで、上記した構造の可変レバータンブラー錠は、支軸が可動であるため、錠前の変則的な操作によって鍵違いが変ってしまう、など未だ改良の余地がある。
【００１９】
すなわち、図４に示すように、施解錠操作が完全に終了しない内に合鍵５を抜こうとすると、換言すれば図４において合鍵５を紙面方向向こう側に移動させようとすると、この場合ロッキングバー１２が外筒の内周面１６に未だ乗り上がっているので、その内端が解錠切欠８の開口縁に引っ掛かっている。
【００２０】
図４は施錠或いは解錠操作をほぼ終了して内筒を反時計方向に回動させ、ロッキングバー１２が外筒のカム溝１７に落込む寸前を示しているが、この状態で合鍵を引抜こうとすると、換言すれば鍵溝６を紙面方向向こう側に移動させようとすると、その鍵溝６の斜面とタンブラーの係合部７との間に生じる楔作用により、タンブラー１は支軸２を中心として時計方向に駆動される。
【００２１】
ロッキングバー１２が外筒のカム溝１７に落込んでいれば、タンブラー１は自由になっているから、上記鍵の引抜きによりタンブラーは合鍵の鍵溝の通過毎に揺動して合鍵の通過を許容する。
【００２２】
しかしながら、図４に示すようにタンブラーＢ１Ｂがロッキングバー１２によって係止され、タンブラーＡ１Ａのみが反時計方向に押動される結果、今度は係合突起９と係合凹部１１との間に相対運動が生じる。
【００２３】
そして、係合凹部１１の略Ｖ字形の斜面と係合突起９との間に生じる楔作用により、タンブラーＢ１Ｂが支軸２から離間する方向に押動される。
【００２４】
その結果、上記係合突起９の係合凹部１１に対する押動力により、タンブラーＢ１Ｂが支軸２から離れる方向に移動し、換言すれば、係合突起９がそれまで係合していた係合凹部１１を乗り越えて隣の係合凹部１１に落込み、このようにして鍵違いが変ってしまう、という不都合が生じる。
【００２５】
この係合突起９の係合凹部１１に対する乗り越えは、鍵溝６の深さが係合凹部１１の深さより大きい場合に顕著である。
【００２６】
この発明は、合鍵を施解錠操作の完了以前に鍵孔から抜こうとした場合にも鍵違いが生じない可変タンブラー錠を提供し、持って上記した不都合を解消することを目的としている。
【００２７】
【課題を解決するための手段】
上記の目的を達成するため、この発明は、レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定したものにおいて、タンブラーＡの自由端部外側縁をタンブラーＢの自由端部外側縁と重合させ、この重合部分に、タンブラーＢの各係合凹部に対応するタンブラーＡの解錠切欠とほぼ同じ形状の逃げ切欠を係合凹部と同数、かつ解錠切欠の形成位置に角度的に整合させて形成したことを特徴とする。
【００２８】
【実施例】
以下、この発明の一実施例を図５を参照して説明する。
図５において符号１０は逃げ切欠を示し、この逃げ切欠１０は図１及び図４に示す従来の逃げ切欠と異なり、タンブラーＢ１Ｂの各係合凹部１１に対応するタンブラーＡ１Ａの解錠切欠８とほぼ同じ切欠を係合凹部１１と同数形成してある。
【００２９】
すなわち、従来のタンブラーＡ１Ａの自由外側端縁部に形成された逃げ切欠１０は、これと重合するタンブラーＢ１Ｂの解錠切欠８が何処に形成されていてもこれらに干渉しないように広い角度範囲をカバーするような大きな切欠であった。
【００３０】
しかし、この発明におけるタンブラーＡ１Ａの逃げ切欠１０は、タンブラーＢ１Ｂの各係合凹部１１に対応してタンブラーＢ１Ｂの自由外側縁部に形成される可能性がある全ての解錠切欠８、８（図示の実施例では３個）に夫々重合するように、３個の逃げ切欠１０、１０が形成されている。
【００３１】
なお、タンブラーＡ１Ａの自由外側端縁は、図５に示すように、タンブラーＢ１Ｂのそれよりも少しはみ出るように、換言すれば、図５において少し下側に出るように設定するのが望ましい。
【００３２】
上記のように構成されたこの発明の一実施例による可変レバータンブラー錠のタンブラーは、通常の使用状態では従来の可変レバータンブラー錠と同じように機能する。
【００３３】
それは、図５から明らかなように、合鍵５を鍵孔に挿入して所定の方向に回動させ、内筒に担持されたロッキングバー１２とカム溝１７との間に生じる楔作用によりロッキングバー１２が内筒中心軸方向に移動したとき、タンブラーＡ１Ａの逃げ切欠１０は解錠切欠８と重合しているから、タンブラーの移動を何等妨げないからである。
【００３４】
一方、内筒を完全に待機角度位置にまで戻さない内に合鍵を引抜こうとすると、前記したように係合突起９と係合凹部１１との間に生じる楔作用によりタンブラーＢ１Ｂが図５で下がり、係合突起９が係合凹部１１を乗り越えようとするが、この係合突起９の乗り越えは必ずタンブラーＡ１Ａの回動を必要とするが、図５から明らかなように、タンブラーＡ１Ａはロッキングバー１２に係止されて動くことができない。
【００３５】
したがって、合鍵の引抜きにようする力が急に大きくなって合鍵を抜くことができない、という態様で上記係合突起９の係合凹部１１に対する乗り越えが完全に防止できる。
【００３６】
【発明の効果】
以上の説明から明らかなように、この発明は、タンブラーＡ１Ａの自由端部外側縁をタンブラーＢ１Ｂの自由端部外側縁と重合させ、この重合部分に、タンブラーＢの各係合凹部に対応するタンブラーＡの解錠切欠とほぼ同じ形状の逃げ切欠を係合凹部と同数、かつ解錠切欠の形成位置に角度的に整合させて形成したから、内筒を完全に待機角度位置にまで戻さない内に合鍵を引抜こうとしても引抜くことができず、したがって、上記誤った操作により鍵違いが変化してしまうという不都合を完全に防止できる、という効果を奏する。
【図面の簡単な説明】
【図１】従来の可変タンブラー錠の一例を示す拡大横断面図。
【図２】スイッチ部材による支軸の駆動機構を示す拡大外観斜視図で、常態を示す。
【図３】図２と同様のスイッチ部材による支軸の駆動機構を示す拡大外観斜視図で、変換ピンによりスイッチ部材を駆動した状態を示す。
【図４】従来の可変レバータンブラー錠の不都合を説明するための図１と同様の拡大横断面図。
【図５】この発明の一実施例による可変レバータンブラー錠の図４と同様の拡大横断面図。
【符号の説明】
１  レバータンブラー
１Ａ  タンブラーＡ
１Ｂ  タンブラーＢ
２  支軸
３  偏芯軸
４  逃げ孔
５  合鍵
６  鍵溝
７  係合部
８  解錠切欠
９  係合突起
１０  逃げ切欠
１１  係合凹部
１２  ロッキングバー
１３  変換ピン
１４  スイッチ部材
１５  スペーサリング
１６  内周面
１７  カム溝
【図１】
2004308110.tif 000003
【図２】
2004308110.tif 000004
【図３】
2004308110.tif 000005
【図４】
2004308110.tif 000006
【図５】
2004308110.tif 000007